(57)【要約】      （修正有）【課題】老人や足・腰の不自由な人でも安全に且つ効率的に大腰筋、腹筋、背筋などの筋肉を訓練させて、立ち上がりや歩行の便に供させることのできる訓練補助具の提供。【解決手段】腰掛け部材３は、前面部８、左側面部９、右側面部１０、背面部１１の４枚の生地からなり、このうち前面部８はほぼホームベース形であり、また左側面部９と背面部１１の接合部、右側面部１０と背面部１１の接合部はそれぞれ縫合され、且つ正面部８と左側面部９の接合部及び正面部８と右側面部１０の接合部においては、下部側が縫合されているが、上部はオープンスライドファスナー１２、１３の使用で開閉自在となし、その中間部においては縫合されない部分が形成されて、該部分で上記オープンスライドファスナー１２、１３を閉じた際には腰掛け人の両脚を保持固定する開口部１５、１６が形成されるものとなしてある。【選択図】図２
0003120517.tif 000002
【実用新案登録請求の範囲】
【請求項１】
床面上１５ｃｍ〜７５ｃｍの高さ位置に凹状の腰掛け部材を吊下げ式に取付ける脚付き枠部材、上記腰掛け部材はその前面側で両脚踵部が床面に付いた状態で揺動可能となし、且つ該脚付き枠部材の上面部は上記腰掛け部材へ腰を掛けた状態で水平な手持ち肘掛け部に形成し、係る構成の脚付き枠部材で腰掛け部材と床面との間に対し、腰掛け部材を前後左右方向へ変傾可動ならしめる変傾部材を組合せ使用することを特徴とした大腰筋訓練補助具。
【請求項２】
上記腰掛け部材は腰掛け部材の前面側を開放式で、且つ左右大腿部の夫々れが個別に分かれた状態で保持固定されるものとなしてあることを特徴とした請求項１記載の大腰筋訓練補助具。
【請求項３】
上記脚付き枠部材の脚はアーチ状となし、且つ脚先に夫々れキャスターを取付けて移動自在になさしめると共に、その適所で移動を固定するためのストッパーを備えたものとなしてあることを特徴とした請求項１又は２記載の大腰筋訓練補助具。
【請求項４】
上記変傾部材は可撓性ボール或いはこれと補助台座との組合せ使用することを特徴とした請求項１、２又は３記載の大腰筋訓練補助具。
【請求項５】
上記補助台座は上面が緩やかな角度の傾斜面を備えた三角台座であることを特徴とした請求項４記載の大腰筋訓練補助具。
【請求項６】
上記三角台座は傾斜面が５°〜４０°の範囲で角度傾斜可能の構成にされていることを特徴とした請求項５記載の大腰筋訓練補助具。
【考案の詳細な説明】
【技術分野】
【０００１】
本考案は、平衡感覚や腹筋、背筋など筋力向上のためのトレーニング機器、とりわけ立つことを補助するための大腰筋訓練補助具に関する。
【背景技術】
【０００２】
バランスボールは、弾力があり、ちょうどいい圧を体にかけられ、ボールは押した分だけ押し返すから、極端な力で無理に筋肉を伸ばしてしまう心配がなく、ボールに体を預けることで、無理なく運動をすることができるのである。このバランスボールを使ったトレーニングは、平衡感覚、筋力トレーニング、ストレッチング、骨盤矯正等に使用されており、日頃運動をしていない人や高齢者でも手軽に始められるものであるが、不意にボールが転がって体から離れてしまい、使用者を地面に転落させて怪我をさせる事故を発生している。そこで、特許文献１にはこれらの事故を防ぐために、バランスボールの滑り止めワッシャーが示されている。
しかし、特許文献１に示されたバランスボールの滑り止めワッシャーでは、バランスボールが転がらないための滑り止めワッシャーが示されているだけで、ボールが転がらない場合でも、バランスボールの上に乗り、バランスを崩して転倒することを防ぐことができない。
一方、座位から立位への移行を手助けする福祉用具は、介助バーが、主に使われているが、上半身に力のない人、膝関節に障害がある人には困難であり、歩行訓練を行う歩行器は示されているが（特許文献２参照）、簡単に効率的に筋肉を鍛えるトレーニング機器は少ない。
【特許文献１】実用新案登録第３１０５９２３号
【特許文献２】特開２００２−２８２３１５号
【考案の開示】
【考案が解決しようとする課題】
【０００３】
そこで、本考案は、上記問題点を解決すべく、バランスボールを使用したトレーニングにおいて、ボールがはずれた場合でも転倒事故を防ぐことができ、上半身に力のない人、膝関節に障害がある人や高齢者などが、安全に且つ効率的に平衡感覚や腹筋、背筋などを含む筋肉を鍛えることの出来る大腰筋訓練補助具を提供することを目的とするものである。
【課題を解決するための手段】
【０００４】
本考案に係る上記大腰筋訓練補助具は、床面上１５ｃｍ〜７５ｃｍの高さ位置に凹状の腰掛け部材を吊下げ式に取付ける脚付き枠部材、上記腰掛け部材はその前面側で両脚踵部が床面に付いた状態で揺動可能となし、且つ該脚付き枠部材の上面部は上記腰掛け部材へ腰を掛けた状態で水平な手持ち肘掛け部に形成し、係る構成の脚付き枠部材で腰掛け部材と床面との間に対し、腰掛け部材を前後左右方向へ変傾可動ならしめる変傾部材を組合せ使用することを特徴とする。上記腰掛け部材は主として腰掛け部材の前面側を開放させ、且つ左右大腿部の夫々れが個別に分かれた状態で保持固定されるものとなされる。また、上記脚付き枠部材の脚はアーチ状となし、且つ脚先に夫々れキャスターを取付けて移動自在になさしめると共に、その適所で移動を固定するためのストッパーを備えたものとなされ、この際、上記変傾部材は可撓性ボール或いはこれと補助台座との組合せ使用であり、また上記補助台座は上面が緩やかな角度の傾斜面を備えた三角台座となし、且つ該三角台座は傾斜面が５°〜４０°の範囲で角度傾斜可能の構成になされている。
【考案の効果】
【０００５】
本考案品は以上の如き構成であり、腰掛け部材はその前面側で両脚踵部が床面に付いた状態で揺動可能となし、且つ該脚付き枠部材の上面部は上記腰掛け部材へ腰を掛けた状態で水平な手持ち肘掛け部に形成されているので、使用者はこれを使用して転倒の心配をすることなく安心して腰掛けることができ、これと腰掛け部材を前後左右方向へ変傾可動ならしめる変傾部材を組合せ使用することにより、大腰筋のトレーニングを効果的に行うことができるのである。
腰掛け部材を布製とすると安価に作成できるのであり、しかも身体にフィットしやすいため、バランスを崩したとしても、腰部を安全に支えて転倒を防ぐことができ、膝関節に障害がある人や高齢者などにとっても心配ない。とりわけ、可撓性ボールに乗ってのトレーニングが可能になり、高齢者が歩行するために必要な平衡感覚、筋肉を向上させることを、安全に且つ効率的に出来るものとなる。
腰掛け部材の前面側を開放式で、且つ左右大腿部の夫々れを個別に分けた状態で保持固定させたものでは、腰掛け部材への着座が容易で、且つトレーニング中に腰掛け部材から抜け落ちたりすることのないものとなる。
脚をアーチ状になしたものでは、脚付き枠部材内で変傾部材が動く際に脚が障害にならない上で優れる。而して、脚の下部に対しストッパー付きのキャスターを取付けたものでは、初期の訓練にはストッパーで枠部材を固定させた状態で使用し、次にストッパーを解除した場合には、枠部材が移動するため、より質の高い訓練ができるものとなって、訓練の巾が広がるものとなる。
【０００６】
変傾部材を可撓性ボールとしたことは、弾力があるボールに腰を乗せることにより柔軟性に富んだ運動が可能になるのである。このとき、可撓性ボールは転がるのであるが、腰掛け部材で押さえつけられた状態で必要以上に転がったりするものではなく、また枠部材の脚がそのはみ出し移動を防止したりするのである。
本考案では可撓性ボールと補助台座を組み合わせたことにより、多様なトレーニングをすることができる。このさいの補助台座としては専ら三角台座を使用するのであり、即ち腰掛け部材に腰掛けて、可撓性ボールを三角台座に押し上げて動かすことにより、可撓性ボールに乗っている腰が自然と持ち上がる状態となり、これは座位から立位動作の訓練が効果的に行えるものとなる。
上記三角台座の傾斜角は専ら５°〜４０°の範囲となされるのであり、このさいその角度を傾斜可能の構成にすることは、使用者の能力に合わせた最適なトレーニングが自由自在に行える上で優れたものとなる。
【考案を実施するための最良の形態】
【０００７】
以下、図面に示す実施の態様について説明する。
図１は本考案に係る大腰筋訓練補助具の斜視図である。図２は図１の腰掛け部材の前面側を開放した状態の斜視図で、図３は脚付き枠部材のみの斜視図、図４は可撓性ボールを下に置いた使用状態の斜視図である。本考案に係る大腰筋訓練補助具１は脚付き枠部材２と腰掛け部材３からなり、脚付き枠部材２内へ可撓性ボールを置いて、腰掛け部材３に腰を降ろすと可撓性ボールの上に腰掛けた状態となり、その状態で可撓性ボールを使った訓練を行うことができるのである。なお、可撓性ボールは中空内へ空気を入れたもの、或いは適宜な柔軟材を填入させたものとなされる。
【０００８】
脚付き枠部材２の骨組みは専ら金属製で、手持ち肘掛け部４、補助枠５、及び４本の脚６で構成されている。ここで、手持ち肘掛け部４は、脚６の上面部に水平上に取付け、直径寸法Ｒ１が６０ｃｍ〜８０ｃｍの円周の一部を欠いたＣ字形で、且つ上記腰掛け部材へ腰を掛けた状態で水平な手持ち肘掛けが形成されるものとなされる。なお、脚６は外向きのアーチ状に形成し、図示例では４本の脚下端部を補助枠５で支持させたものとなしてあり、これの直径寸法Ｒ２は１００ｃｍ〜１４０ｃｍであり、手持ち肘掛け部４同様に円周の一部を欠いたＣ字形となされており、これらの欠いた開放部を前面にして、該開放部から身体の出入りを行うのである。
【０００９】
上記でアーチ状の脚６は、高さ寸法ｈ１が６０ｃｍ〜８０ｃｍであり、一般的な訓練では可撓性ボールとして市販のエクササイズボールの専ら直径を４０ｃｍ〜７０ｃｍのものを使用して行うのである。
【００１０】
上記で各脚６の下端にはストッパー付きのキャスター７が取付けられており、これにより、自在に移動でき、且つ適所で固定することができるのである。また、初期の訓練には、ストッパーで固定して行い、ストッパーを解除した場合には、脚付き枠部材２が動くことから腰部の揺動移動が複雑なものとなって、より機能性の高い訓練ができるものとなることから訓練の巾が広がるものとなる。
【００１１】
腰掛け部材３はの素材は革材や布材などを使用するが、布製とする場合が安価で且つ縫製し易いものとなるのである。而して該凹状の腰掛け部材は帯紐１４で吊下げ式に取り付けられるのであり、このさい腰掛け部材３は床面上の高さ寸法ｈ２が凡そ１５ｃｍ〜７５ｃｍとされるのである。図示例の腰掛け部材３は、その前面が開閉自在になされており、使用者の左右大腿部を個別に保持固定するための開口部１５、１６を有する。
【００１２】
具体的には上記腰掛け部材３は、図２に見られる通り前面部８、左側面部９、右側面部１０、背面部１１の４枚の生地からなり、このうち前面部８はほぼホームベース形であり、また左側面部９と背面部１１の接合部、右側面部１０と背面部１１の接合部はそれぞれ縫合され、且つ正面部８と左側面部９の接合部及び正面部８と右側面部１０の接合部においては、下部側が縫合されているが、上部はオープンスライドファスナー１２、１３の使用で開閉自在となし、その中間部においては縫合されない部分が形成されて、該部分で上記オープンスライドファスナー１２、１３を閉じた際には腰掛け人の両脚を保持固定する開口部１５、１６が形成されるものとなしてある。
【００１３】
上記使用では、当初オープンスライドファスナー１２、１３を開放させており、即ち前面部を前方に広げた状態で、腰掛け人は腰掛け部材３に腰掛け、開口部１５、１６から大腿部を出すようにして、オープンスライドファスナー１２、１３を閉じて、前面部８の帯紐１４を手持ち肘掛け部４に結びつけるのである。これにより、腰掛け人は腰掛け部材３に安定的に保持されるものとなり、例え腰掛け部材の下方で可撓性ボールがはずれたりした場合であっても、転倒したりする危険が全く生じたりするものとならない。
【００１４】
図４はその使用状態を示しており、腰掛け人は可撓性ボール１７を下に置き、腰掛け部材３に腰を掛け、手は脚付き枠部材の上部枠におき、且つ両脚踵部が床面に付いた状態でトレーニングをするのである。
【００１５】
上記例では、吊下部材として帯紐１４を示したが、自動車の安全ベルトの如くその長さの自動調節を可能にするベルトを使用し、適宜その吊り下げ寸法が変えられるようになすことができる。このものの使用では使用上の簡便性と機能訓練の多様化に迅速に対応できるものとなる上で著効がある。
【００１６】
図５及び図６は腰掛け部材を揺動移動させるための変傾部材の他の例を示すものである。図５は三角台座の斜視図、図６は該三角台座を使用した状態の斜視図である。ここで三角台座１８は長さ寸法Ｌが５０ｃｍ〜７０ｃｍ、巾寸法ｗが２０ｃｍ〜４０ｃｍであり、且つその傾斜面１８ａは角度θが５°〜４０°の範囲で角度傾斜可能の構成にされている。該三角台座１８の使用では、腰掛け部材３に腰を掛け、これを可撓性ボール１７の前方へ配置した状態で可撓性ボール１７を三角台座１８に向けて押し上げるようにすることにより、左右の大腰筋が自然と持ち上がるように訓練されるものとなる。
【００１７】
図７は更に他の例を示すものである。上記例では変傾部材に可撓性ボールと三角台座を使用したものであるが、本例では、変傾部材に、バランスチェア１９を使用するのである。該バランスチェア１９は中央に穴２１を有する土台２０と該穴２１の直径より大きい直径の半球２３を下部に有する座板２２の組み合わせからなり、土台２０の穴２１に座板２２の半球２３を入れると、座板２２は安定せずに前後左右に傾いた状態に動くのである。従って、この使用では該座板２２上へ腰掛け部材３が載置されるようにして訓練を行うのである。
【図面の簡単な説明】
【００１８】
【図１】本考案に係る大腰筋訓練補助具の斜視図である。
【図２】図１の腰掛け部材の前方を開放した状態の斜視図である。
【図３】脚付き枠部材のみの斜視図である。
【図４】可撓性ボールを下に置いた使用状態の斜視図である。
【図５】三角台座の斜視図である。
【図６】三角台座と可撓性ボールの組合せ使用状態の斜視図である。
【図７】変傾部材にバランスチェアを使用する説明図である。
【符号の説明】
【００１９】
１    大腰筋訓練補助具
２    脚付き枠部材
３    腰掛け部材
４    手持ち肘掛け部
５    補助枠
６    脚
７    ストッパー付きキャスター
８    前面部
９    左側面部
１０  右側面部
１１  背面部
１２、１３  オープンスライドファスナー
１４  帯紐
１５、１６  開口部
１７  可撓性ボール
１８  三角台座
１９  バランスチェア
【図１】
0003120517.tif 000003
【図２】
0003120517.tif 000004
【図３】
0003120517.tif 000005
【図４】
0003120517.tif 000006
【図５】
0003120517.tif 000007
【図６】
0003120517.tif 000008
【図７】
0003120517.tif 000009
【手続補正書】
【提出日】平成18年1月23日(2006.1.23)
【手続補正１】
【補正対象書類名】明細書
【補正対象項目名】００１６
【補正方法】変更
【補正の内容】
【００１６】
図５及び図６は腰掛け部材を揺動移動させるための変傾部材の他の例を示すものである。図５は三角台座の斜視図、図６は該三角台座を使用した状態の斜視図である。ここで三角台座１８は長さ寸法Ｌが５０ｃｍ〜７０ｃｍ、巾寸法ｗが２０ｃｍ〜４０ｃｍであり、且つその傾斜面１８ａは角度θが５°〜４０°の範囲で角度傾斜可能の構成にされている。該三角台座１８の使用では、腰掛け部材３に腰を掛け、これを可撓性ボール１７の前方へ配置した状態で可撓性ボール１７を三角台座１８に向けて押し上げるようにすることにより、左右の大腰筋をより強く刺激するように訓練されるものとなる。
【手続補正２】
【補正対象書類名】明細書
【補正対象項目名】００１７
【補正方法】変更
【補正の内容】
【００１７】
図７は更に他の例を示すものである。上記例では変傾部材に可撓性ボールと三角台座を使用したものであるが、本例では、変傾部材に、バランスチェア１９を使用するのである。該バランスチェア１９は中央に深さの浅い角穴２１を有する土台２０と該角穴２１の底面に接する半球２３の組み合わせからなり、これにより座板２２を不安定状態の前後左右に傾いた揺動をさせるのである。従って、この使用では該座板２２上へ腰掛け部材３が載置されるようにして訓練を行うのである。
【手続補正３】
【補正対象書類名】図面
【補正対象項目名】図７
【補正方法】変更
【補正の内容】
【図７】
0003120517.tif 000010